【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
第１流れ面と第２流れ面との間を延びている外面、を含んでいるフィルタ媒体パックと、
前記フィルタ媒体パックの前記外面に塗布されているポリマー被覆であって、成形構造物ではないポリマー被覆と、
を備えているフィルタ要素。
【請求項２】
前記ポリマー被覆は、約５０μｉｎ（１．２７μｍ）から約１０，０００μｉｎ（２５４．００μｍ）の間の表面粗さを有している、請求項１に記載のフィルタ要素。
【請求項３】
前記ポリマー被覆は前記フィルタ媒体パックに少なくとも９，０００μｉｎ（２２８．６０μｍ）の深さまで浸透する、請求項１に記載のフィルタ要素。
【請求項４】
前記ポリマー被覆は吹付塗装層またはロール塗装層を備えている、請求項１に記載のフィルタ要素。
【請求項５】
前記ポリマー被覆は約６０から約９５の間のショアＡデュロメータ硬さを有している、請求項１に記載のフィルタ要素。
【請求項６】
前記被覆は少なくとも２層で構成されている、請求項１に記載のフィルタ要素。
【請求項７】
前記ポリマー被覆はポリウレア材料を備える、請求項１に記載のフィルタ要素。
【請求項８】
前記ポリマー被覆は、ウレタン、アクリル、エポキシ、シリコン、ポリウレタン、ポリウレア、ポリアスパラギン（ｐｏｌｙａｓｐａｒｔｉｃ）、ポリマー、脂肪族ポリウレア、ポリスチレン、ポリエチレン、エチレンビニルアセテート、ポリエチレンビニルアセテート、エチレンプロピレンジエンモノマー、ポリウレア／ポリウレタンハイブリッド、及びそれらの組合せ、から成る群より選択されており、前記ポリマー被覆は、随意的には、ファイバーグラス、粗化剤、又は他の充填材を含んでいる、請求項１に記載にフィルタ要素。
【請求項９】
前記フィルタ媒体パックは、フィルタ媒体で構築されていて、複数の層を形成するように巻取型構成又は積重型構成をしている表面シート及びひだ付きシートを備えるひだ付きフィルタ媒体フィルタパックを備えていて、前記フィルタ媒体パックは、未濾過流体が前記表面シート又は前記ひだ付きシートを通過しなければ前記第１流れ面から前記第２流れ面へ渡ってゆけないようになっている、および／または前記第１流れ面から前記第２流れ面までのスパンは少なくとも８センチメートルである、請求項１に記載のフィルタ要素。
【請求項１０】
前記フィルタ要素は、フィルタ媒体で構築されていて第１流れ面のプリーツ先端と第２流れ面のプリーツ先端の間を延びる複数のプリーツ斜面を備えているプリーツ付きフィルタ要素であり、流体は前記フィルタ媒体を通過しなければ前記第１流れ面から前記第２流れ面へ渡ってゆけないようになっており、前記ポリマー被覆は、最も前側のプリーツ斜面と最も後側のプリーツ斜面へ塗布されている、または、前記最も前側のプリーツ斜面と前記最も後側のプリーツ斜面に加えて前記最も前側のプリーツ斜面と前記最も後側のプリーツ斜面に対し横断方向に延びている前記プリーツ斜面の縁に沿って塗布されている、請求項１に記載のフィルタ要素。
【請求項１１】
前記フィルタ媒体パックは、前記ポリマー被覆が塗布された後は、当該ポリマー被覆が前記媒体パックの拡がりを抑制し４８時間に亘って１００％の湿度に曝されたときの前記外面の周囲の拡張を５％未満に抑えることになるので、保管期間の間中その体積を維持する、請求項１に記載のフィルタ要素。
【請求項１２】
前記フィルタ要素はハウジング封止面を有するボーダーガスケットを更に備え、前記ボーダーガスケットは、前記フィルタ媒体パックを取り囲む関係に前記ポリマー被覆へ固定されており、
前記ボーダーガスケットは、所定位置に成形され、前記ポリマー被覆へ一体に結合されている、および／または、前記ポリマー被覆に適合性のある結合材料であってポリウレタンとウレタンとシリコンのうちの少なくとも１つを備えているシール材料から形成されている、請求項１に記載のフィルタ要素。
【請求項１３】
前記ポリマー被覆は、０．００５インチ（０．１２７ｍｍ）から０．１００インチ（２．５４０ｍｍ）の間の平均厚さを有している、請求項１に記載のフィルタ要素。
【請求項１４】
前記ポリマー被覆は、前記フィルタ媒体パックの濾過領域を取り囲む関係に前記外面へ塗布されている層であって、外側把持面を提供するために少なくとも５０μｉｎ（１．２７μｍ）の表面粗さを有している層を提供し、
前記ポリマー被覆は、前記フィルタ媒体パックの前記外面へ一体的に結合され前記外面に浸透する材料を備える、および／または前記ポリマー被覆は、前記フィルタ媒体パックの前記外面に少なくとも９，０００μｉｎ（２２８．６０μｍ）の深さまで浸透する材料を備える、請求項１に記載のフィルタ要素。
【請求項１５】
前記ポリマー被覆は、前記フィルタ媒体パックの前記外面へ塗布されていて前記第１流れ面と前記第２流れ面の間のスパンの少なくとも２５％を覆っている層であって、当該外側の層は０．００５インチ（０．１２７ｍｍ）から０．１００インチ（２．５４０ｍｍ）の間の平均厚さを有しており、当該層は、それを介して前記空気フィルタ媒体パックの前記外面へ一体的に結合させる材料である、層を提供する、請求項１に記載のフィルタ要素。
【請求項１６】
液体被覆をフィルタへ塗布する方法であって、
フィルタ媒体パックを提供する段階と、
ポリマー流体を前記フィルタ媒体の外周囲へ成形段階無しに塗布して０．００５インチ（０．１２７ｍｍ）から０．１００インチ（２．５４０ｍｍ）の間の平均厚さを有する外側の層を提供する段階と、
前記ポリマー流体に前記外周囲上にポリマー被覆を形成させる段階と、
を備えている方法。
【請求項１７】
前記塗布する段階は、前記フィルタ媒体パックから或る距離だけ離間された吹付機を使用して遂行される、または、ポリマー流体を塗布している間は前記フィルタ媒体パックの第１流れ面を封鎖してポリマー流体が前記第１流れ面へ塗布されるのを防ぐようにする、請求項１６に記載の方法。
【請求項１８】
前記ポリマー被覆の周りに延びているフレームと、
前記フレームと前記ポリマー被覆材料の間の可撓性封止材料であって、前記フレームを前記ポリマー被覆に対して封止する可撓性封止材料と、
前記ポリマー被覆と前記フレームの間の結合材料であって、前記フレームを前記ポリマー被覆へ固定する結合材料と、
を備えている、請求項１に記載のフィルタ要素。
【手続補正２】
【補正対象書類名】明細書
【補正対象項目名】００８８
【補正方法】変更
【補正の内容】
【００８８】
[0139]発明者らにとって既知である本発明を実施するための最良の形態を含む本発明の好適な実施形態がここに説明されている。上記説明が閲読されれば、それらの好適な実施形態の変形型が当業者には自明となるであろう。発明者らは、熟練した技術者が適宜そのような変形型を採用することを想定しており、また発明者らは、発明がここに具体的に説明されている以外のやり方で実践されることを意図している。したがって、本発明は、ここに付随の特許請求の範囲に記載されている主題の修正物及び等価物で適用法令によって許容される全ての修正物及び等価物を含む。更に、上述の要素のその全ての実施可能な変形型における何れかの組合せは、ここに別途指示されていない限り又は明らかに文脈と矛盾しない限り本発明によって網羅される。
本願発明の実施形態は、例えば以下の通りである。
［形態１］
第１流れ面と第２流れ面との間を延びている外面、を含んでいるフィルタ媒体パックと、
前記フィルタ媒体パックの前記外面に塗布されているポリマー被覆であって、成形構造物ではないポリマー被覆と、
を備えているフィルタ要素。
［形態２］
前記ポリマー被覆は、約５０μｉｎ（１．２７μｍ）から約１０，０００μｉｎ（２５４．００μｍ）の間の表面粗さを有している、形態１に記載のフィルタ要素。
［形態３］
前記ポリマー被覆は前記フィルタ媒体パックに少なくとも９，０００μｉｎ（２２８．６０μｍ）の深さまで浸透する、形態１に記載のフィルタ要素。
［形態４］
前記ポリマー被覆は吹付塗装層を備えている、形態１に記載のフィルタ要素。
［形態５］
前記ポリマー被覆はロール塗装層である、形態１に記載のフィルタ要素。
［形態６］
前記ポリマー被覆は約６０から約９５の間のショアＡデュロメータ硬さを有している、形態１に記載のフィルタ要素。
［形態７］
前記被覆は少なくとも２層で構成されている、形態１に記載のフィルタ要素。
［形態８］
少なくとも１層はポリウレア材料である、形態７に記載のフィルタ要素。
［形態９］
前記ポリマー被覆は、ウレタン、アクリル、エポキシ、シリコン、ポリウレタン、ポリウレア、ポリアスパラギン（ｐｏｌｙａｓｐａｒｔｉｃ）、ポリマー、脂肪族ポリウレア、ポリスチレン、ポリエチレン、エチレンビニルアセテート、ポリエチレンビニルアセテート、エチレンプロピレンジエンモノマー、ポリウレア／ポリウレタンハイブリッド、及びそれらの組合せ、から成る群より選択されており、前記ポリマー被覆は、随意的には、ファイバーグラス、粗化剤、又は他の充填材を含んでいる、形態１に記載にフィルタ要素。
［形態１０］
前記フィルタ媒体パックは、フィルタ媒体で構築されていて、複数の層を形成するように巻取型構成又は積重型構成をしている表面シート及びひだ付きシートを備えるひだ付きフィルタ媒体フィルタパックを備えていて、未濾過流体が前記表面シート又は前記ひだ付きシートを通過しなければ前記第１流れ面から前記第２流れ面へ渡ってゆけないようになっている、形態１に記載のフィルタ要素。
［形態１１］
前記第１流れ面から前記第２流れ面までのスパンは少なくとも８センチメートルである、形態１０に記載のフィルタ要素。
［形態１２］
前記ひだ付きフィルタ媒体フィルタパックは環状形状を有する巻取型パックであり、前記巻取型パックの前縁はパックの半径方向中心にあり、前記巻取型パックの後縁は前記外面に沿っていて段を形成しており、前記ポリマー被覆は前記段を充填し封止していて、前記ポリマー被覆と前記ひだ付きフィルタ媒体フィルタパックの間に前記段に沿って如何なる追加材料も塗布されることなしに前記第１流れ面から前記第２流れ面への未濾過流体漏出を防止している、形態１０に記載のフィルタ要素。
［形態１３］
前記フィルタ要素は、フィルタ媒体で構築されていて第１流れ面のプリーツ先端と第２流れ面のプリーツ先端の間を延びる複数のプリーツ斜面を備えているプリーツ付きフィルタ要素であり、流体は前記フィルタ媒体を通過しなければ前記第１流れ面から前記第２流れ面へ渡ってゆけないようになっており、前記ポリマー被覆は、最も前側のプリーツ斜面と最も後側のプリーツ斜面へ塗布されている、形態１に記載のフィルタ要素。
［形態１４］
前記ポリマー被覆は、更に、前記最も前側のプリーツ斜面と前記最も後側のプリーツ斜面に対し横断方向に延びている前記プリーツ斜面の縁に沿って塗布されている、形態１３に記載のフィルタ要素。
［形態１５］
前記フィルタ媒体パックの前記第１流れ面及び前記第２流れ面は前記ポリマー被覆を不含である、形態１に記載のフィルタ要素。
［形態１６］
前記ポリマー被覆は、前記第１流れ面と前記第２流れ面の間の前記外面の表面積の少なくとも２５％に塗布されている、形態１に記載のフィルタ要素。
［形態１７］
シールが前記ポリマー被覆へ付着されている、形態１６に記載のフィルタ要素。
［形態１８］
前記フィルタ媒体パックは、前記ポリマー被覆が塗布された後は、当該ポリマー被覆が前記媒体パックの拡がりを抑制し４８時間に亘って１００％の湿度に曝されたときの前記外面の周囲の拡張を５％未満に抑えることになるので、保管期間の間中その体積を維持する、形態１に記載のフィルタ要素。
［形態１９］
前記フィルタ要素はハウジング封止面を有するボーダーガスケットを更に備え、前記ボーダーガスケットは、前記フィルタ媒体パックを取り囲む関係に前記ポリマー被覆へ固定されている、形態１に記載のフィルタ要素。
［形態２０］
前記ボーダーガスケットは、所定位置に成形され、前記ポリマー被覆へ一体に結合されている、形態１９に記載のフィルタ要素。
［形態２１］
前記ボーダーガスケットは、前記ポリマー被覆に適合性のある結合材料であってポリウレタンとウレタンとシリコンのうちの少なくとも１つを備えているシール材料から形成されている、形態２０に記載のフィルタ要素。
［形態２２］
前記ポリマー被覆は空気及び湿気に対して不透過性である、形態１に記載のフィルタ要素。
［形態２３］
フィルタ媒体パックは、以下の性質、即ち、
２オンス／平方ヤード（６７.８１１５ｇ／ｍ２）から４オンス／平方ヤード（１３５．６２３ｇ／ｍ２）の間の坪量、
ＡＳＴＭ  Ｆ７７８−８８（２０１４年）に従って測定した場合に水ゲージ圧０．５インチ（１．２７ｃｍ）にて５ｃｆｍ（０．１４ｍ３／ｍ）から２０ｃｆｍ（０．５７ｍ３／ｍ）の間の空気透過性、及び、
少なくとも１５ＰＳＩのミューレン破裂強さ、
を有するフィルタ媒体、を備えている、形態１に記載のフィルタ要素。
［形態２４］
前記フィルタ要素は、ＩＳＯ５０１１試験規格に従って測定した場合のＩＳＯ１２１０３−１  Ａ２微粒試験用ダスト（Ｆｉｎｅ  Ｔｅｓｔ  Ｄｕｓｔ）除去時における少なくとも９９．６％の初期効率を有する空気濾過媒体であり、前記空気濾過媒体は、セルロース又はポリマー又は１ミクロンから２００ミクロンの間の平均直径を有するグラスファイバーのうちの少なくとも１つを含有する層を備えている、形態１に記載のフィルタ要素。
［形態２５］
前記フィルタ媒体は前記フィルタ媒体パックの外面を形成している、形態１に記載のフィルタ要素。
［形態２６］
前記フィルタ要素は金属製又はプラスチック製予備形成構成部品を不含である、形態１に記載のフィルタ要素。
［形態２７］
前記ポリマー被覆は、前記フィルタ媒体パックと、ハウジングガスケットか又は金属製又はプラスチック製予備形成構成部品のうちの少なくとも一方と、の間に完全周囲シールを提供している、形態１に記載のフィルタ要素。
［形態２８］
前記フィルタ要素は前記フィルタ媒体パックへ付着されている金属製又はプラスチック製予備形成構成部品を更に備えており、前記ポリマー被覆は、前記金属製又はプラスチック製予備形成構成部品の外に面する外部面に重なり合っている、形態１に記載のフィルタ要素。
［形態２９］
前記ポリマー被覆は、０．００５インチ（０．１２７ｍｍ）から０．１００インチ（２．５４０ｍｍ）の間の平均厚さを有している、形態１に記載のフィルタ要素。
［形態３０］
第１流れ面と第２流れ面の間を延びている外面、を含んでいるフィルタ媒体パックと、
前記フィルタ媒体パックの濾過領域を取り囲む関係に前記外面へ塗布されている層であって、外側把持面を提供するために少なくとも５０μｉｎ（１．２７μｍ）の表面粗さを有している層と、
を備えているフィルタ要素。
［形態３１］
前記層は、前記フィルタ媒体パックの前記外面へ一体的に結合され前記外面に浸透する材料を備えるポリマー被覆である、形態３０に記載のフィルタ要素。
［形態３２］
前記材料は前記フィルタ媒体パックの前記外面に少なくとも９，０００μｉｎ（２２８．６０μｍ）の深さまで浸透する、形態３１に記載のフィルタ要素。
［形態３３］
前記表面粗さは１０，０００μｉｎ（２５４．００μｍ）までである、形態３０に記載のフィルタ要素。
［形態３４］
第１流れ面と第２流れ面の間を延びている外面、を含んでいるフィルタ媒体パックと、
前記フィルタ媒体パックの前記外面へ塗布されていて前記第１流れ面と前記第２流れ面の間のスパンの少なくとも２５％を覆っている層であって、当該外側の層は０．００５インチ（０．１２７ｍｍ）から０．１００インチ（２．５４０ｍｍ）の間の平均厚さを有しており、当該層は、それを介して前記空気フィルタ媒体パックの前記外面へ一体的に結合させる材料である、層と、
を備えているフィルタ要素。
［形態３５］
液体被覆をフィルタへ塗布する方法であって、
フィルタ媒体パックを提供する段階と、
ポリマー流体を前記フィルタ媒体の外周囲へ成形段階無しに塗布する段階と、
前記ポリマー流体に前記外周囲上にポリマー被覆を形成させる段階と、
を備えている方法。
［形態３６］
前記塗布する段階は、前記フィルタ媒体パックから或る距離だけ離間された吹付機を使用して遂行される、形態３５に記載の方法。
［形態３７］
前記媒体パックを静止させておいて当該媒体パックの周りを前記吹付機が回る、形態３６に記載の方法。
［形態３８］
前記吹付機を静止させておいて前記媒体パックが当該吹付機の前方で回転する、形態３６に記載の方法。
［形態３９］
前記吹付機と前記媒体パックの間の前記距離は前記塗布する段階の間に変化する、形態３６に記載の方法。
［形態４０］
前記塗布する段階はローラーを使用して遂行される、形態３５に記載の方法。
［形態４１］
ポリマー流体を塗布している間は前記フィルタ媒体パックの第１流れ面を封鎖してポリマー流体が前記第１流れ面へ塗布されるのを防ぐようにする段階、を更に備えている形態３６に記載の方法。
［形態４２］
前記第１流れ面とは正反対の側の第２流れ面は前記ポリマー流体を塗布する段階の間は封鎖されない、形態４１に記載の方法。
［形態４３］
前記第２流れ面の塗装を防ぐために前記吹付機は前記フィルタ媒体パックに対して角度を付けられている、形態４２に記載の方法。
［形態４４］
前記フィルタ媒体パックは、プリーツ斜面それぞれが軸に平行である複数のプリーツ斜面を有するプリーツ付きエンボス加工フィルタ媒体パックであり、前記吹付機は前記軸に対して１０５°から１５０°の間の角度に向き付けられている、形態３６に記載の方法。
［形態４５］
前記吹付機は更に重力に関して下向きに角度を付けられている、形態４４に記載の方法。
［形態４６］
被覆をフィルタ要素へ塗布するためのシステムであって、前記システムは、
フィルタ媒体パックの底面より小さい第１のサイズの基部を有する台座と、
前記台座に関して下向きに角度を付けられていて前記台座から或る距離だけ離間されている吹付機であって、被覆を前記フィルタ媒体パックへ塗布するように構成されている吹付機と、
前記フィルタ媒体パックの最上面と少なくとも同じサイズである第２のサイズを有している板と、
を備えているシステム。
［形態４７］
前記台座は前記吹付機の前方で回転する、形態４６に記載のシステム。
［形態４８］
前記吹付機は前記台座の周りを回る、形態４６に記載のシステム。
［形態４９］
前記吹付機と前記台座の間の前記距離は前記被覆の塗布中に変わる、形態４６に記載のシステム。
［形態５０］
第１流れ面と第２流れ面の間を延びている外面、を含んでいるフィルタ媒体パックと、
前記フィルタ媒体パックの前記外面に塗布されているポリマー被覆と、
前記ポリマー被覆の周りに延びているフレームと、
前記フレームと前記ポリマー被覆材料の間の可撓性封止材料であって、前記フレームを前記ポリマー被覆に対して封止する可撓性封止材料と、
前記ポリマー被覆と前記フレームの間の結合材料であって、前記フレームを前記ポリマー被覆へ固定する結合材料と、
を備えているフィルタ要素。
［形態５１］
前記可撓性封止材料は前記ポリマー被覆にしか固定されていない、形態５０に記載のフィルタ要素。
［形態５２］
前記可撓性封止材料は、前記ポリマー被覆へ接着剤によって固定される予備形成発泡体である、形態５１に記載のフィルタ要素。
［形態５３］
前記可撓性封止材料は、前記ポリマー被覆へ接着固定されている半径方向内方面と、前記半径方向内方面とは反対側の半径方向外方面であって前記フレームの半径方向内方を向いている面に対して半径方向に押し付けられている半径方向外方面と、を有している、形態５１に記載のフィルタ要素。
［形態５４］
前記半径方向外方面は前記フレームの前記半径方向内方面へ接着固定されていない、形態５３に記載のフィルタ要素。
［形態５５］
前記可撓性封止材料は前記フレームを前記ポリマー被覆へ固定していない、形態５１に記載のフィルタ要素。
［形態５６］
前記フレームは、前記可撓性封止材料を前記ポリマー材料との間に配した状態で前記ポリマー被覆に隣接して位置決めされている半径方向内方に延びる突起を含んでおり、
前記可撓性封止材料は前記ポリマー被覆と前記突起の間に形成される何らかのギャップからの前記結合材料の漏れを防止する、形態５０に記載のフィルタ要素。
［形態５７］
前記フレームと前記ポリマー被覆は、それらの間に、前記突起及び前記可撓性封止材料からオフセットしているチャネルを画定しており、前記チャネルは前記結合材料を収容している、形態５６に記載のフィルタ要素。
［形態５８］
前記結合材料はハウジング封止面を形成している、形態５０に記載のフィルタ要素。
［形態５９］
前記フレームは前記可撓性封止材料を少なくとも５％圧縮している、形態５０に記載のフィルタ要素。
［形態６０］
フィルタ要素を形成する方法であって、
外側ポリマー被覆を外面に塗布されているフィルタ媒体パックを提供する段階と、
可撓性封止材料を前記ポリマー被覆に付着する段階と、
前記可撓性封止材料を前記ポリマー被覆に付着する前記段階の後に、フレームを前記ポリマー被覆の周りに配置して、前記可撓性封止材料が前記ポリマー被覆と前記フレームの少なくとも一部分との間にそれらと接触して半径方向に位置決めされた状態にする段階と、
前記フレームの一部分と前記ポリマー被覆の間に半径方向に配置させた結合材料を用いて前記フレームを前記フィルタ要素へ固定する段階と、
を備えている方法。
［形態６１］
前記可撓性封止材料は前記フレームを前記ポリマー被覆へ固定しない、形態６０に記載のフィルタ要素を形成する方法。
［形態６２］
前記可撓性封止材料は、前記ポリマー被覆へ接着固定される予備形成発泡体である、形態６０に記載のフィルタ要素を形成する方法。
［形態６３］
前記フレームを配置する段階は、前記可撓性封止材料を過ぎるように前記フレームを滑らす段階であって、前記可撓性封止材料を圧縮し次いで圧縮解除することを含む段階、を含んでいる、形態６２に記載のフィルタ要素を形成する方法。
［形態６４］
前記可撓性封止材料は、前記フレームを前記ポリマー被覆の周りに配置する段階の後は圧縮状態にある、形態６０に記載のフィルタ要素を形成する方法。
［形態６５］
前記可撓性封止材料は、前記フレームを前記ポリマー被覆の周りに配置する段階の後は少なくとも５％圧縮されてしまっている、形態６４に記載の方法。
［形態６６］
前記フレームを前記フィルタ要素へ前記結合材料を用いて固定する段階は、前記結合材料の一部分からハウジング封止面を形成する段階を含んでいる、形態６０に記載のフィルタ要素を形成する方法。